(57)【要約】【課題】使用者の怪我や姿勢の不良を造成せず、作業或は読書の効率に影響しない一種の座椅子手摺の新構造を提供すること。【解決手段】３６０°旋回構造３・脱離防止設計・左右調整構造９を含む；上下調整構造２に３６０°旋回構造３を設置し、座椅子手摺１の角度方向調整と座椅子手摺１の固定に用いる；上下調整構造２に有する円孔２４１にネジ２４２を通して固定し、金属フレームを円柱スリーブから脱離させない；左右調整構造９は、逆時計回りに止め爪板を旋回して、座椅子手摺１を左或は右の適当な位置に調整し、時計回りに止め爪板を旋回して、座椅子手摺１を固定する；この三主要構造は座椅子手摺１を使用者が最も快適に感ずる位置に左右上下移動・３６０°回転の位置と角度の調整を行う。且つ調整後は、座椅子手摺は使用による移動や揺れがなく、便利性・実用性及び安全性を具えている。【選択図】　図１
0003097897.tif 000002
【実用新案登録請求の範囲】
【請求項１】
以下の構成からなることを特徴とする一種の座椅子手摺の構造。
手摺の３６０°旋回構造と、手摺の脱離防止設計と、手摺の左右調整構造とを含み；３６０°旋回構造は１個の円形台座・スプリング・円形スリーブ・パッキング・挿込ピンを組合せて構成してある。
その中で、
円形台座の底端には４個の凹穴を設け、円形台座上端には数十個の等しい大きさの歯型物を直立させ、且つ規則的な円環状に排列し、上端面の中心箇所には１個の中空構造の円柱状物を有し、最上面には１個の通し孔を設ける；
スプリングの内径は円柱状物の外径よりやや大とし、長さは円形スリーブの高さよりやや大きくする：
円形スリーブの下端面にも歯型構造を設ける。その大きさは円形台座上の歯型物の隙間とし、且つ規則的な環状排列とする。円形スリーブの前端と後端にはそれぞれ１個の弾性止め爪を設け、左端と右端にはそれぞれ１個の矩形ブロックを設け、円形スリーブは中央が中空の環状物とする；
パッキングの大きさは円形スリーブの中空部分よりやや小さくし、中央に１個の円凹槽を設け、その円凹槽の中央には１個の円孔を有する；
挿込ピンは上端を中空にし、上端面には１個の円孔を有し、その深さは挿込ピンの長さの１／１０にする；
組立時は、スプリングを円形台座中央の円柱状物箇所に設置し、円形スリーブ下端面の歯型構造を円形台座の歯型物の間隙に合わせて嵌める。更に挿込ピンの円孔を円形台座底部の通し孔に合わせて置き、挿込ピン半球状頭を円孔中の突出物に支えるまで入れる。次に、パッキングを挿込ピンに設置し、挿込ピンの上端面をパンチプレスで展開し、パッキングで支え、３６０°旋回構造の組合を完成する；
脱離防止設計については、上下調整構造の円柱スリーブ中央には１個の円孔を有し、この円柱スリーブ外から円柱スリーブ内に向けて、円孔にネジを通して、金属フレームにネジを固定する。一方ネジ末端は金属フレームを上に向けて一定の距離を移動すると、円柱スリーブ後端の凸出物に支えられ、金属フレームを円柱スリーブから脱離させない；
左右調整構造は特殊ナット・特殊ガスケット・上方開放断面略コ字形板　・旋回ボタン・金属鋼板を組合せて構成；その中で、
特殊ナットの上端のネジ山はプラスチックで形成する；
特殊ガスケットは１個の円形のガスケットで、上表面は非常に滑らか、下表面は粗い面にする；
上方開放断面略コ字形板は、前後方向に延設され、座椅子手摺に近い端の高さは、座椅子手摺に遠い端の高さより高くして、前者から後者に向けて下向きに傾斜させ、且つ両翼には４個の固定孔を設ける。中央部分には１個の円孔を有し、その周囲には６個の環状排列のやや浮き出した表面の特殊物を有する。この特殊物は上方開放断面略コ字形板の下端面に有る凹んだ円状凹槽と弧状凹槽から形成される；
旋回ボタンの下端には１個の止め爪板を有する。上端には６個の環状に排列した半円槽を有し鋼球を入れ、鋼球の半分は半円槽内、半分は表面に露出する。この旋回ボタン上端面中央には１個のネジを設け、その上段にはネジ山を具え、下段にはネジ山は具えない；
金属鋼板の前端上表面には１個の溝を有する。後端は１個の半円弧状をなし、円弧中心箇所に１個の半円凹穴を有し、円鋼管と溶接結合する；
旋回ボタンのネジを上方開放断面略コ字形板の円孔・金属鋼板の溝・特殊ガスケットの円孔に合わせ、且つ特殊ナットをネジに嵌め、左右調整構造の組合を完成する。
【請求項２】
以下の構成からなることを特徴とする請求項１記載の一種の座椅子手摺の構造。
その中で、３６０°旋回構造にその効果を発揮させる為には、必ず別の１個の設計を組合せることが必要である。１個の金属片を円形にし円の４等分箇所にパンチプレスで４個の正方形ノッチを作り、同時に４個の正方形凸出物を形成し、表面に４個の相等しい大きさの円孔を穿ち、この円形片を円鋼管に溶接結合する。溶接で生じた凸出物と正方形凸出物は、３６０°旋回構造の４個の凹穴を支え、円鋼管の円孔を円形台座の円孔に合わせ、ネジを円鋼管の円孔に嵌めさせ、３６０°旋回構造を動かないように固定する。
【考案の詳細な説明】
【０００１】
【考案の属する技術分野】
本考案は一種の座椅子手摺の新構造に関するもので、特に一種の手摺の上下左右の位置方位を調整でき、同時に極めて優れた固定効果を有して、使用者に前の手の肘から上腕さらには肩にいたるまで最も快適な支持と伸びの空間を提供することにより、身体に最良の坐った姿勢をもたらし、作業或は読書の効率に利するものを指す。
【０００２】
【従来の技術】
現在の日常生活の周囲環境では、座椅子は不可欠の応用家具の一つで、その機能は人々に座席を提供するとともに、平時の身体の疲労を除去する最も優れた補助家具である。それ故現在の一般に見られる各型式座椅子構造は、更に快適な設計を提供する為、関係業者は座椅子手摺構造の設計を調整できるものにし、各種不同の使用者がその需要に応じて、自身の姿勢に最適で且つ手の肘の支持と伸ばしを調整する手摺構造である。
【０００３】
現在市場で販売されている座椅子は、手摺の設計により、下記の幾つかの種類に分れる：
一．　固定式：名前の通り、如何なる調整もできず、使用上の快適性は不良。これ等座椅子の消費者は日毎に減少しており、将来性は薄い。
【０００４】
二．　上下調整式：この種類の座椅子の手摺は上下に調整するが、上腕の長さが異なる消費者に対して設計したもので、固定式座椅子に比し幾らか快適であるが、使用者の肩幅と肥満程度を考慮していない為、手摺はシートに対し左右の調整ができない；また、各人の手の肘を置く方式が異なる為、手摺は時計方向及び反時計方向に旋回して、手の肘を置く方位を適切に調整する必要があるが、この種類の座椅子はこの機能を提供してなく、不便である。
【０００５】
【考案が解決しようとする課題】
それ故、上述の座椅子手摺の設計は未だ多くの効果の再設計が待たれており、且つ手摺の設計が不完全な為に、使用者の怪我や姿勢の不良を造成し、作業或は読書の効率に影響している；学齢期の児童と成長期の青少年は特に影響を受け、後日の骨格異常をもたらす。極端な場合は、座椅子手摺の不良は、使用者が座椅子を離れて手の肘或は掌で座椅子手摺を持つ時、使用者の手の肘の脱臼或は手の捻挫を容易に造成する潜在的な危険性を具えている。
【０００６】
このことに鑑み、本考案者は改良を考え、実務経験と不断の研究改良進歩を結合して、終に一種の『座椅子手摺の新構造』を考案し、且つ本考案の設計により以下の考案目的を達成する。
【０００７】
本考案の設計目的は、一種の座椅子手摺の新構造の提供である。その主要なものは手摺の３６０°旋回構造と、手摺の脱離防止設計と、手摺の左右調整構造とを含む；その中で、上下調整構造の末端には１個の３６０°旋回構造を設置し、座椅子手摺の角度方向調整と座椅子手摺の固定に用いる；上下調整構造の円柱スリーブは中央に１個の円孔を有し、円柱スリーブ外から円柱スリーブ内に向けて、円孔にネジを通して、金属フレームにネジを固定する。ネジ末端は金属フレームを上向きに一定の距離を移動した時、円柱スリーブ後端の凸出物に支えられて、金属フレームを円柱スリーブから脱離させないので、この座椅子手摺の新構造を分解させず、危険を造成しない；金属鋼板上の手摺の左右調整構造は、逆時計回りに止め爪板を旋回すると、上方開放断面略コ字形板と金属鋼板を緩んだ状態にし、座椅子手摺を或は左或は右の適当な位置に調整し、時計回りに止め爪板を旋回すると、座椅子手摺を固定する；この三主要構造は座椅子手摺を使用者が最も快適に感ずる位置に左右上下移動・３６０°回転の位置と角度の調整を行う。且つ調整後は、座椅子手摺は使用による移動や揺れがなく、便利性・実用性及び安全性を具えている。
【０００８】
【課題を解決するための手段】
本考案は一種の座椅子手摺の新構造に関するもので、その主要なものには手摺の３６０°旋回構造と、手摺の脱離防止設計と、手摺の左右調整構造とを含む：その中で、上下調整構造の末端には１個の３６０°旋回構造を設置し、座椅子手摺の角度方向調整と座椅子手摺の固定に用いる；上下調整構造の円柱スリーブは中央に１個の円孔を有し、円柱スリーブ外から円柱スリーブ内に向けて、円孔にネジを通して、金属フレームにネジを固定する。ネジ末端は金属フレームを上向きに一定の距離を移動した時、円柱スリーブ後端の凸出物に支えられて、金属フレームを円柱スリーブから脱離させないので、この座椅子手摺の新構造を分解させず、危険を造成しない；金属鋼板上の手摺の左右調整構造は、逆時計回りに止め爪板を旋回すると、上方開放断面略コ字形板と金属鋼板を緩んだ状態にし、座椅子手摺を或は左或は右の適当な位置に調整し、時計回りに止め爪板を旋回すると、座椅子手摺を固定する；この三主要構造は座椅子手摺を使用者が最も快適に感ずる位置に左右上下移動・３６０°回転の位置と角度の調整を行う。且つ調整後は、座椅子手摺は使用による移動や揺れがなく、便利性・実用性及び安全性を具えている。
【０００９】
【考案の実施の形態】
本考案の構造の特徴及び特長を明確に説明する為に、添付図を利用して以下に詳細説明する：
先ず図１を参照して説明する。これは本考案「座椅子手摺の新構造」の立体分解図で、その主要なものには３６０°旋回構造（３）・脱離防止設計・左右調整構造（９）を含む。
その中で、３６０°旋回構造（３）については図３、図４を参照して説明する。３６０°旋回構造（３）は円形台座（３５）・スプリング（３４）・円形スリーブ（３３）・パッキング（３２）・挿込ピン（３１）の組合せで構成してある。その中の円形台座（３５）の底端には４個の凹穴（３５３）と１個の通し孔（３５４）を設け、円形台座（３５）の上面には数十個の等しい大きさの歯型物（３５２）を直立させ、且つ規則的な円環状に排列し、上端の中心箇所には１個の中空構造の円柱状物（３５１）を有し、その最上面には１個の通し孔（３５４）を設ける；スプリング（３４）の内径は円柱状物（３５１）の外径よりやや大とし、スプリング（３４）の長さは円形スリーブ（３３）の高さよりやや大きくする；円形スリーブ（３３）の下端面にも歯型構造（３３３）を設ける。歯型構造（３３３）の大きさは円形台座（３５）上の歯型物（３５２）の隙間と同じ大きさとし、且つ規則的な環状排列とする。円形スリーブ（３３）の前端と後端にはそれぞれ１個の弾性止め爪（３３２）を設け、左端と右端にはそれぞれ１個の矩形ブロック（３３１）を設け、円形スリーブ（３３）は中央が中空の環状物とする；パッキング（３２）の形状は円形とし、且つパッキング（３２）の大きさは円形スリーブ（３３）の中央に有る１つの中空部分（３３４）よりやや小さくし、パッキング（３２）の中央に１個の円凹槽（３２２）を設け、その円凹槽（３２２）の中央には１個の円孔（３２１）を有する；挿込ピン（３１）は上端を中空にし、上端面には１個の円孔（３１１）を有し、その深さは挿込ピン（３１）の長さの１／１０にする。組立時は、スプリング（３４）を円形台座（３５）中央の円柱状物（３５１）箇所に設置し、円形スリーブ（３３）下端面の歯型構造（３３３）を円形台座（３５）の歯型物（３５２）の間隙に合わせて嵌める。次に図５を参照して説明する。挿込ピン（３１）の円孔（３１１）を円形台座（３５）底面の通し孔（３５４）　に合わせて置き、挿込ピン（３１）の半球状頭（３１２）を円孔（３１１）中の突出物に支えられるまで入れる。次に、パッキング（３２）を挿込ピン（３１）に設置し、挿込ピン（３１）の上端面をパンチプレスで展開し、パッキング（３２）の円凹槽（３２２）で支える。これで３６０°旋回構造の組合が完成する。
【００１０】
しかし、それが効果を発揮するには、別の１個の設計を組合せることが必要である。図７、図８、図９を参照して説明する。１個の円形片（６１）の円の４等分箇所にパンチプレスで４個の正方形ノッチ（６１１）を作り、同時に４個の正方形凸出物（６１５）を形成し、表面に４個の相等しい大きさの円孔（６１２）を穿つ。この円形片（６１）を円鋼管（６）尾端の中空部分（６２）に入れ、円形片（６１）の４個の正方形凸出物（６１５）と円鋼管（６）を溶接結合する。特に注意することは、正方形凸出物（６１５）の影響で、溶接の溶接部材を円形片（６１）の右面に堆積し、凸出物（６１３）を形成することである。３６０°旋回構造（３）を円鋼管（６）に入れる時に、その円形台座（３５）の４個の凹穴（３５３）が凸出物（６１３）と正方形凸出物（６１５）に支えられ、円鋼管（６）の円孔（６１２）と円形台座（３５）の円孔（３５５）が正しく重なり、ネジ（６１４）を円鋼管（６）の円孔（６１２）に入れ、３６０°旋回構造（３）を動かないように固定する。
【００１１】
脱離防止設計については、図６を参照して説明する。上下調整構造（２）の円柱スリーブ（２４）中央には１個の円孔（２４１）を有し、この円柱スリーブ（２４）外から円柱スリーブ（２４）内に向けて、円孔（２４１）にネジ（２４２）を通して、金属フレーム（２３）にネジを固定する。一方ネジ（２４２）末端は金属フレーム（２３）を上に向けて一定の距離を移動すると、円柱スリーブ（２４）後端の凸出物に支えられ、金属フレーム（２３）を円柱スリーブ（２４）から脱離させないので、この座椅子手摺の新構造を分解させず、危険を造成しない。
【００１２】
図１６を参照して説明する。左右調整構造（９）は特殊ナット（９１）・特殊ガスケット（９２）・上方開放断面略コ字形板（９３）　・旋回ボタン（９４）・金属鋼板（７）を組合せて構成してある。その中で、特殊ナット（９１）の上端のネジ山はプラスチックで形成しているため、旋回ボタン（９４）のネジ（９４１）を特殊ナット（９１）に嵌めた時に、プラスチックのネジ山は締付作用を具え、特殊ナット（９１）とネジ（９４１）の結合が緩むことを防止する。特殊ガスケット（９２）は１個の円形のガスケットで、上表面は非常に滑らか、下表面は粗い面にし、上方開放断面略コ字形板（９３）と接触した時は、相対運動を防止する作用を具える。
【００１３】
上方開放断面略コ字形板（９３）は、上方が開放した断面略コ字形であって、その上端部に外方へ延びる突片を前後方向に延設して備えた形状としてあり、座椅子手摺（１）に近い端の高さは、座椅子手摺（１）に遠い端の高さより高くし、前者から後者に向けて下向きに傾斜する。中央部分には１個の円孔（９３１）を有し、その周囲には６個の環状排列のやや浮き出した表面の円状凹槽（９３２）と弧状凹槽（９３３）を有する。図１０及び図１１に示す如く、これ等は鋼球（９４４）を円状凹槽（９３２）と弧状凹槽（９３３）の下表面で運動させる。上方開放断面略コ字形板（９３）の両翼には４個の固定孔（９３４）を設け、各種座椅子の組立に用いる。
【００１４】
旋回ボタン（９４）の下端には１個の止め爪板（９４３）を有する。上端には６個の環状に排列した半円槽（９４２）を有し鋼球（９４４）を入れる。この時鋼球の半分は半円槽（９４２）内、半分は表面に露出する。この旋回ボタン（９４）の上端面中央には１個のネジ（９４１）を設け、その上段にはネジ山を具え、下段はネジ山を具えない。これは特殊ナット（９１）の嵌入位置を制御する為のもので、特殊ナット（９１）上端のプラスチックネジ山と共に、緊密な嵌合を行い容易に緩み脱落を起こさない。
【００１５】
金属鋼板（７）の前端上表面には１個の溝（７２）を有し、左右調整構造（９）をその中で往復運動をさせ、座椅子手摺（１）を或は左或は右に制御する。金属鋼板（７）後端は１個の半円弧状（７１）をなし、その円弧中心箇所に１個の半円凹穴（７３）を有し、円鋼管（６）と溶接結合する。
【００１６】
旋回ボタン（９４）のネジ（９４１）を上方開放断面略コ字形板（９３）の円孔（９３１）・金属鋼板（７）の溝（７２）・特殊ガスケット（９２）の円孔（９２１）に合わせて嵌め、特殊ナット（９１）をネジ（９４１）に嵌め、図２に示す如く、左右調整構造（９）との組合せを完成する。
【００１７】
本考案の座椅子手摺との結合については、図１２及び図１３を参照して説明する。３６０°旋回構造（３）の弾性止め爪（３３２）と矩形ブロック（３３１）をそれぞれ円柱スリーブ（２４）の正方形孔（２４３）と矩形凹槽（２４４）に合わせ嵌合し、３６０°旋回構造（３）と上下調整構造（２）の結合を完成する。次に図１及び図２を参照して説明する。上下調整構造（２）の金属フレーム（２３）をスリーブ（４）の長形凹槽（４１）に合わせ、ネジ（２１）を金属フレーム（２３）の円孔（２３２）とスリーブ（４）の長形凹槽（４１）のネジ孔（４１１）を通じて嵌め、半円弧スリーブ（５）を円鋼管（６）に設置する。次に図９を参照して説明する。３６０°旋回構造（３）の凹穴（３５３）を円鋼管（６）の凸出物（６１３）と正方形凸出物（６１５）に合わせ、動けなくなるまで差込む。この時、３６０°旋回構造（３）の４個の円孔（３５５）を円鋼管（６）の円形片（６１）の４個の円孔（６１２）に合わせる事が必要である。円形片（６１）の円孔（６１２）を３６０°旋回構造（３）の円孔（３５５）に合わせたら、２個のネジ（６１４）で固定する；次に図１５を参照して説明する。防護スリーブ（８）の中空部分（８４）を円鋼管（６）の末端に嵌め、且つ半円弧スリーブ（５）の通し孔（５１）を円鋼管（６）に合わせ、防護スリーブ（８）の半円状凸出物（８３）と半円弧スリーブ（５）の半円状凸出物（５３）を金属鋼板（７）の半円凹穴（７３）に嵌入し、防護スリーブ（８）の孔（８２）と半円弧スリーブ（５）の円孔（５２）に合わせてネジ（８１）を嵌める。更に図１を参照して説明する。ネジ（４３）で長形凹槽（４１）の下の円孔（４１２）と金属フレーム（２３）の円孔（２３１）と座椅子手摺（１）を合わせて結合し、ネジ（４３）を締めて固定する。次に図１６を参照して説明する。鋼球（９４４）を旋回ボタン（９４）上の半円槽（９４２）に置き、ネジ（９４１）を上方開放断面略コ字形板（９３）の円孔（９３１）と金属鋼板（７）の溝（７２）に合わせ、更に特殊ガスケット（９２）の粗い面を下に向けて、特殊ガスケット（９２）を円孔（９２１）がネジ（９４１）に合うように嵌める。次に特殊ナット（９１）をネジ（９４１）に合わせてネジ山の終りまで嵌める。最後に、図１に示すように、止め爪板（２２）を正方形孔（４２）内の凸出物（２３３）に嵌め、座椅子手摺の新構造の組合を完成する。
【００１８】
次に、座椅子手摺（１）の作用について、図１０及び図１１を参照して説明する。座椅子手摺（１）を或は左或は右に調整する時は、逆時計回りに止め爪板（９４３）を旋回し、上方開放断面略コ字形板（９３）と金属鋼板（７）を緩んだ状態にする。この時、鋼球（９４４）は円状凹槽（９３２）から弧状凹槽（９３３）末端に移動し、鋼球（９４４）は上方開放断面略コ字形板（９３）に接触していないので、緩んだ状態を呈する；座椅子手摺（１）が目標位置に移動した後は、時計回りに止め爪板（９４３）を旋回する。この時、鋼球（９４４）は弧状凹槽（９３３）末端から円状凹槽（９３２）に移動し、鋼球（９４４）は上方開放断面略コ字形板（９３）に支えられるので、固定状態を呈し、上方開放断面略コ字形板（９３）と金属鋼板（７）は相対運動を行うことはできない。それ故、座椅子を左右に運動して座椅子幅の調整をすることはできない。
【００１９】
座椅子手摺（１）の角度方位を調整する時は、座椅子手摺（１）を握り上に持上げる。この時、円形台座（３５）の歯型物（３５２）と円形スリーブ（３３）の歯型構造（３３３）は分離する；座椅子手摺（１）を希望の角度方位に旋回する時は手を緩める。この時、円形台座（３５）の歯型物（３５２）と円形スリーブの歯型構造（３３３）は噛合い、座椅子手摺（１）角度方位の調整を完成し、且つ外力により旋回・移動或は揺れることはない；図１７を参照して説明する。本考案の「座椅子手摺の新構造」は３６０°の調整ができる。更に図１８を参照して説明する。座椅子手摺（１）固定後の前段はやや長く、肘の長い人を比較的に快適に支える。肘の短い人の場合は、座椅子手摺（１）を１８０°旋回し、適当な支えを作ることができる。この設計の効果は座椅子手摺（１）の角度を調整できるだけではなく、この効果は座椅子手摺（１）の前進或は後退の調整と同じと見なすことができる。
【００２０】
上述の綜合として、本考案の「座椅子手摺の新構造」は、座椅子手摺（１）を或は左或は右に移動させ使用者の身体に適したものにし、また座椅子手摺（１）の角度方位を調整でき、且つ座椅子手摺（１）を調整した後は固定不動にする。更に重要なことは、使用時に座椅子構造が分離現象を起こし危険と傷害を造成することがなく、使用者は安心して使用できることである。それ故この「座椅子手摺の新構造」は、大いに便利性・快適性・安全性を具えている。
【図面の簡単な説明】
【図１】本考案の立体分解図である。
【図２】本考案の立体組立図である。
【図３】本考案の３６０°旋回構造立体分解図である。
【図４】本考案の３６０°構造立体組立図である。
【図５】挿込ピンを３６０°旋回構造底面から挿入した状態を示す立体図である。
【図６】上下調整構造の部品図である。
【図７】円鋼管と円形片の結合前の状態を示す立体図である。
【図８】円鋼管と円形片を溶接した後の状態を示す立体図である。
【図９】３６０°旋回構造と円鋼管の組合前の状態を示す立体図である。
【図１０】前後調整構造をロックする時の鋼球の位置関係図である。
【図１１】前後調整構造を緩めた時の鋼球の位置関係図である。
【図１２】３６０°旋回構造と円柱スリーブの組合せ前の状態を示す立体図である。
【図１３】３６０°旋回構造と円柱スリーブの組合せを示す立体図である。
【図１４】半円弧スリーブの仰視立体図である。
【図１５】半円弧スリーブ・円鋼管と防護スリーブの組合せ前の状態を示す立体図である。
【図１６】左右調整構造の立体分解図である。
【図１７】座椅子手摺調整のシミュレーション立体図である。
【図１８】座椅子手摺を１８０°旋回した差異の立体図である。
【符号の説明】
（１）　　座椅子手摺
（２）　　上下調整構造
（２１）　ネジ
（２２）　止め爪板
（２３）　金属フレーム
（２３１）円孔
（２３２）円孔
（２３３）凸出物
（２４）　円柱スリーブ
（２４１）円孔
（２４２）ネジ
（２４３）正方形孔
（２４４）矩形凹槽
（３）　　３６０°旋回構造
（３１）　挿込ピン
（３１１）円孔
（３１２）半球状頭
（３２）　パッキング
（３２１）円孔
（３２２）円凹槽
（３３）　円形スリーブ
（３３１）矩形ブロック
（３３２）弾性止め爪
（３３３）歯型構造
（３３４）　中空部分
（３４）　スプリング
（３５）　円形台座
（３５１）円柱状物
（３５２）歯型物
（３５３）凹穴
（３５４）通し孔
（３５５）円孔
（４）　　スリーブ
（４１）　長形凹槽
（４１１）ネジ孔
（４１２）円孔
（４２）　正方形孔
（４３）　ネジ
（５）　半円弧スリーブ
（５１）　通し孔
（５２）　円孔
（５３）　半円状凸出物
（６）　　円鋼管
（６１）　円形片
（６１１）正方形ノッチ
（６１２）円孔
（６１３）凸出物
（６１４）ネジ
（６１５）正方形凸出物
（６２）　中空部分
（７）　金属鋼板
（７１）　半円弧状
（７２）　溝
（７３）　半円凹穴
（８）　　防護スリーブ
（８１）　ネジ
（８２）　孔
（８３）　半円状凸出物
（８４）　中空部分
（９）　左右調整構
（９１）　特殊ナット
（９２）　特殊ガスケット
（９２１）円孔
（９３）　上方開放断面略コ字形板
（９３１）円孔
（９３２）円状凹槽
（９３３）弧状凹槽
（９３４）固定孔
（９４）　旋回ボタン
（９４１）ネジ
（９４２）半円槽
（９４３）止め爪板
（９４４）鋼球
【図１】
0003097897.tif 000003
【図２】
0003097897.tif 000004
【図３】
0003097897.tif 000005
【図４】
0003097897.tif 000006
【図５】
0003097897.tif 000007
【図６】
0003097897.tif 000008
【図７】
0003097897.tif 000009
【図８】
0003097897.tif 000010
【図９】
0003097897.tif 000011
【図１０】
0003097897.tif 000012
【図１１】
0003097897.tif 000013
【図１２】
0003097897.tif 000014
【図１３】
0003097897.tif 000015
【図１４】
0003097897.tif 000016
【図１５】
0003097897.tif 000017
【図１６】
0003097897.tif 000018
【図１７】
0003097897.tif 000019
【図１８】
0003097897.tif 000020